(57)【要約】袋に保管された品物を予備処理するためのコートされた袋を形成する方法において、密封下端部から開放上端部まで延在し、キャビティの内側表面を画定する側壁を有する袋が提供される。袋を、平坦な状態から膨らんだ状態まで膨らます。少なくとも１つの接着剤ディスペンサーを、袋の開放上端部を通して、キャビティに挿入する。少なくとも１つの挿入された接着剤ディスペンサーから接着剤を適用して、キャビティの内側表面に接着コーティングを形成する。微粒子ディスペンサーを、袋の開放上端部を通して、キャビティに挿入する。挿入された微粒子ディスペンサーから微粒子を放出して、接着コーティングに微粒子を埋め込む。接着コーティングを乾燥して、側壁の内側表面に埋め込まれた微粒子を保持する。【選択図】図１
2018529597.tif 000002
【特許請求の範囲】
【請求項１】
中に保管される品物を予備処理するためのコートされた袋を製造する方法であって、
密封下端部から開放上端部まで延在し、キャビティの内側表面を画定する側壁を有する袋を提供し、
前記袋を平坦な状態から膨らんだ状態まで膨らまし、
少なくとも１つの接着剤ディスペンサーを、前記袋の前記開放上端部を通して、前記キャビティに挿入し、
前記挿入された少なくとも１つの接着剤ディスペンサーから接着剤を適用して、前記キャビティの前記内側表面に接着コーティングを形成し、
微粒子ディスペンサーを、前記袋の開放上端部を通して、前記キャビティに挿入し、
前記挿入された微粒子ディスペンサーから微粒子を放出して、前記接着コーティングに前記微粒子を埋め込み、
前記接着コーティングを乾燥して、前記側壁の前記内側表面に前記埋め込まれた微粒子を保持する、方法。
【請求項２】
請求項１に記載の方法であって、
前記接着剤の適用は、約６ｄＰａ〜約１０ｄＰａの粘度を有する液体接着剤をスプレーすることを含む、方法。
【請求項３】
請求項１および２のいずれかに記載の方法であって、
前記接着剤の適用は、約８７°Ｆ〜約１７５°Ｆの温度で液体接着剤をスプレーすることを含む、方法。
【請求項４】
請求項１〜３のいずれかに記載の方法であって、
前記接着剤の適用は、約２００ｐｓｉ〜約１３００ｐｓｉの圧力で液体接着剤をスプレーすることを含む、方法。
【請求項５】
請求項１〜４のいずれかに記載の方法であって、
前記接着剤の適用は、１秒当たり約１ｇ〜１秒当たり約２ｇのフローレートで液体接着剤をスプレーすることを含む、方法。
【請求項６】
請求項１〜５のいずれかに記載の方法であって、
前記袋を前記平坦な状態から前記膨らんだ状態まで膨らますことは、前記側壁の外側表面に吸引を適用することを含む、方法。
【請求項７】
請求項１〜６のいずれかに記載の方法であって、
前記少なくとも１つの接着剤ディスペンサーを前記キャビティに挿入することは、第１および第２の接着剤ディスペンサーを前記キャビティに挿入することを含む、方法。
【請求項８】
請求項７に記載の方法であって、
前記接着剤を前記少なくとも１つの挿入されたスプレーデバイスから適用することは、前記接着剤の第１の部分を前記第１の接着剤ディスペンサーから適用して、前記接着コーティングの第１の部分を、前記側壁の前記内側表面に形成し、前記接着剤の第２の部分を第２のスプレーデバイスから適用して、前記接着コーティングの第２の部分を、前記下端部の前記内側表面に形成することを含む、方法。
【請求項９】
請求項８に記載の方法であって、
第１の接着剤ディスペンサーは、縦軸周囲を回転可能であり、第２の接着剤ディスペンサーは、横軸周囲を回動可能である、方法。
【請求項１０】
請求項１〜９のいずれかに記載の方法であって、
前記接着コーティングを乾燥することは、約１６０°Ｆまでの最大温度で前記コートされた袋を維持することを含む、方法。
【請求項１１】
請求項１〜１０のいずれかに記載の方法であって、
前記接着コーティングを乾燥することは、前記袋の外側表面に赤外線を適用することを含む、方法。
【請求項１２】
請求項１〜１１のいずれかに記載の方法であって、
前記微粒子を前記挿入した微粒子ディスペンサーから放出することは、シーズニング微粒子、着色微粒子および保存料微粒子のうち少なくとも１つを放出することを含む、方法。
【請求項１３】
請求項１〜１２のいずれかに記載の方法であって、
前記接着剤は、第１の接着剤であり、前記接着コーティングは、第１の接着コーティングであり、前記方法は、第２の接着剤を、前記少なくとも１つの挿入された接着剤ディスペンサーから適用して、前記埋め込まれた微粒子に第２の接着コーティングを形成して、前記埋め込まれた微粒子が、前記第１と第２の接着コーティング間で捕捉されるようにすることをさらに含む、方法。
【請求項１４】
請求項１３に記載の方法であって、
前記第１および第２の接着剤は、実質的に同じ材料である、方法。
【請求項１５】
請求項１３および１４のいずれかに記載の方法であって、
前記第１および第２の接着剤は、実質的に同じ温度で適用される、方法。
【請求項１６】
請求項１３〜１５のいずれかに記載の方法であって、
前記第１および第２の接着剤は、適用時、実質的に同じ粘度を有する、方法。
【請求項１７】
請求項１３〜１６のいずれかに記載の方法であって、
前記微粒子を放出することが、第１の微粒子を放出することを含み、前記方法は、前記第２の接着剤適用後、第２の微粒子を放出して、前記第２の微粒子が、前記第２の接着コーティングに埋め込まれるようにすることをさらに含む、方法。
【請求項１８】
請求項１７に記載の方法であって、
前記第２の微粒子放出後、第３の接着剤を、前記少なくとも１つの挿入された接着剤ディスペンサーから適用して、前記第２の埋め込まれた微粒子に第３の接着コーティングを形成し、前記第２の埋め込まれた微粒子が、前記第２と第３の接着コーティング間で捕捉されるようにすることをさらに含む、方法。
【請求項１９】
請求項１〜１８のいずれかに記載の方法であって、
前記接着コーティングは、約２０ｍｇ／ｉｎ２〜約６０ｍｇ／ｉｎ２の面密度を有する、方法。
【請求項２０】
請求項１〜１９のいずれかに記載の方法であって、
前記微粒子を放出することが、第１の微粒子を放出することを含み、前記方法は、前記第１の微粒子放出後、第２の微粒子を放出して、前記第１の微粒子とは異なる前記第２の微粒子を、前記接着コーティングに埋め込むことをさらに含む、方法。
【請求項２１】
請求項２０に記載の方法であって、
前記第１の微粒子は、前記第２の微粒子の平均粒子サイズの少なくとも１００倍の平均粒子サイズを有し、前記第２の微粒子は、前記埋め込まれた第１の微粒子間の空間において、前記接着コーティングに埋め込まれている、方法。
【請求項２２】
請求項１〜２１のいずれかに記載の方法であって、
前記接着剤は、食用接着剤を含み、前記微粒子は、食用微粒子を含む、方法。
【請求項２３】
請求項１〜２２のいずれかに記載の方法であって、
前記接着剤を適用して、前記接着コーティングを形成することが、通気された液体接着剤をスプレーして、接着コーティング全体にトラップされた気泡を有する接着コーティングを形成することを含む、方法。
【請求項２４】
請求項１〜２２のいずれかに記載の方法であって、
前記接着剤を前記接着コーティングに適用することが、通気された液体接着剤をスプレーして、前記キャビティの前記内側表面に発泡接着コーティングを形成することを含む、方法。
【請求項２５】
請求項１〜２４のいずれかに記載の方法であって、
前記内側表面が、約３０ダイン／ｃｍ〜約３８ダイン／ｃｍの表面張力を有する、方法
【請求項２６】
請求項１〜２５のいずれかに記載の方法を用いて形成されたコートされた袋。
【請求項２７】
中に保持される品物を処理するための、スプレーコートされた袋であって、
密封下端部から開放上端部まで延在する側壁を形成し、キャビティの内側表面を画定する側壁を形成する熱収縮フィルムと、
前記キャビティの前記内側表面に接着したスプレー接着コーティングと、
前記接着コーティングに埋め込まれた微粒子とを含む、コートされた袋。
【請求項２８】
請求項２７に記載のコートされた袋であって、
前記熱収縮フィルムは、少なくとも約６０℃の延伸温度を有する、コートされた袋。
【請求項２９】
請求項２７および２８のいずれかに記載のコートされた袋であって、
前記微粒子は、シーズニング微粒子、着色微粒子および保存料微粒子のうち少なくとも１つを含む、コートされた袋。
【請求項３０】
請求項２７〜２９のいずれかに記載のコートされた袋であって、
接着コーティング対微粒子の重量比は、約１．０〜約２．０の間である、コートされた袋。
【請求項３１】
請求項２７〜３０のいずれかに記載のコートされた袋であって、
前記側壁は、実質的にチューブ状である、コートされた袋。
【請求項３２】
請求項２７〜３１のいずれかに記載のコートされた袋であって、
前記接着コーティングは、約２０ｍｇ／ｉｎ２〜約６０ｍｇ／ｉｎ２の面密度を有する、コートされた袋。
【請求項３３】
請求項２７〜３２のいずれかに記載のコートされた袋であって、
前記接着コーティングは、第１の接着コーティングであり、前記袋は、前記埋め込まれた微粒子に接着した第２の接着コーティングをさらに含み、前記埋め込まれた微粒子は、前記第１と第２の接着コーティング間で捕捉されている、コートされた袋。
【請求項３４】
請求項３３に記載のコートされた袋であって、
前記第１および第２の接着剤は、実質的に同じ材料である、コートされた袋。
【請求項３５】
請求項３３および３４のいずれかに記載の方法であって、
前記埋め込まれた微粒子は、第１の微粒子を含み、前記袋は、前記第２の接着コーティングに埋め込まれた第２の微粒子をさらに含む、コートされた袋。
【請求項３６】
請求項３５に記載のコートされた袋であって、
前記埋め込まれた第２の微粒子に接着した第３の接着コーティングをさらに含み、前記第２の埋め込まれた微粒子は、前記第２と第３の接着コーティング間で捕捉されている、コートされた袋。
【請求項３７】
請求項２７〜３６のいずれかに記載のコートされた袋であって、
前記接着コーティングは、加熱した時、前記埋め込まれた微粒子を分離するよう構成されている、コートされた袋。
【請求項３８】
請求項２７〜３７のいずれかに記載のコートされた袋であって、
前記接着コーティングは、水分に晒された時、前記埋め込まれた微粒子を分離するよう構成されている、コートされた袋。
【請求項３９】
請求項２７〜３８のいずれかに記載のコートされた袋であって、
前記微粒子は、食用微粒子であり、前記接着コーティングは、食用接着剤を含む、コートされた袋。
【請求項４０】
請求項２７〜３９のいずれかに記載のコートされた袋であって、
前記接着コーティングは、前記接着コーティング全体にトラップされた気泡を含む、コートされた袋。
【請求項４１】
請求項２７〜４０のいずれかに記載のコートされた袋であって、
前記接着コーティングは、発泡接着コーティングを含む、コートされた袋。
【請求項４２】
請求項２７〜４１のいずれかに記載のコートされた袋であって、
前記内側表面は、約３０ダイン／ｃｍ〜約３８ダイン／ｃｍの表面張力を有する、コートされた袋。
【請求項４３】
品物を予備処理する方法であって、
密封下端部から開放上端部まで延在し、キャビティの内側表面を画定するシームレス側壁を形成する熱収縮フィルムと、前記キャビティの前記内側表面に接着したスプレー接着コーティングと、前記接着コーティングに埋め込まれた微粒子とを含む、スプレーコートされた袋を提供し、
前記品物を前記袋キャビティに収容し、
前記袋の前記開放上端部をシールして、前記品物を前記袋キャビティに密閉し、
前記袋を、延伸温度まで加熱して、前記袋を、収縮させ前記密閉された品物の外側表面と周囲接触させ、
前記埋め込まれた微粒子が前記接着コーティングから分離されるのに十分な時間、前記収縮した袋に前記密閉品物を維持することを含む、方法。
【請求項４４】
請求項４３に記載の方法であって、
前記品物は、食材を含み、前記接着コーティングは、食用接着剤を含み、前記微粒子は、食用微粒子を含む、方法。
【請求項４５】
請求項４３および４４のいずれかに記載の方法であって、
前記接着コーティングは、約２０ｍｇ／ｉｎ２〜約６０ｍｇ／ｉｎ２の面密度を有する、方法。
【請求項４６】
請求項４３〜４５のいずれかに記載の方法であって、
前記熱収縮フィルムは、少なくとも約６０℃の延伸温度を有する、方法。
【請求項４７】
請求項４３〜４６のいずれかに記載の方法であって、
前記微粒子は、シーズニング微粒子、着色微粒子および保存料微粒子のうち少なくとも１つを含む、方法。
【請求項４８】
請求項４３〜４７のいずれかに記載の方法であって、
接着コーティング対微粒子の重量比は、約１．０〜約２．０の間である、方法。
【請求項４９】
請求項４３〜４８のいずれかに記載の方法であって、
前記側壁は、実質的にチューブ状である、方法
【請求項５０】
請求項４３〜４９のいずれかに記載の方法であって、
前記接着コーティングは、加熱した時、前記埋め込まれた微粒子を分離するよう構成されている、方法。
【請求項５１】
請求項４３〜５０のいずれかに記載の方法であって、
前記接着コーティングは、水分に晒された時、前記埋め込まれた微粒子を分離するよう構成されている、方法。
【請求項５２】
請求項４３〜５１のいずれかに記載の方法であって、
前記接着コーティングは、前記接着コーティング全体にトラップされた気泡を含む、方法。
【請求項５３】
請求項４３〜５２のいずれかに記載の方法であって、
前記接着コーティングは、発泡接着コーティングを含む、方法。
【請求項５４】
請求項４３〜５３のいずれかに記載の方法であって、
前記内側表面は、約３０ダイン／ｃｍ〜約３８ダイン／ｃｍの表面張力を有する、方法。
【請求項５５】
中に保管された食材を予備処理するためのコートされた袋を製造する方法であって、
密封下端部から開放上端部まで延在するシームレス側壁を有する袋であって、前記下端部と側壁は併せて、キャビティの内側表面を画定する内側表面を有する、袋を提供し、
前記側壁が、平坦な状態から、前記側壁が鋭角の形成されない周囲を画定する、膨らんだ状態まで前記袋を膨張させ、
前記袋の前記開放上端部から前記キャビティに少なくとも１つのスプレーデバイスを挿入し、
前記少なくとも１つの挿入されたスプレーデバイスから食用液体接着剤をスプレーして、前記キャビティの前記内側表面に、実質的に均一な接着コーティングを形成し、
前記少なくとも１つのスプレーデバイスを前記キャビティから取り出し、
前記袋の前記開放上端部から前記キャビティに微粒子ディスペンサーを挿入し、
前記挿入された微粒子ディスペンサーから食用微粒子を放出して、前記食用微粒子を前記接着コーティングに埋め込み、
前記微粒子ディスペンサーを前記キャビティから取り出し、
前記接着コーティングを乾燥して、前記埋め込まれた食用微粒子を、前記側壁の前記内側表面に保持する、方法。
【請求項５６】
請求項５５に記載の方法であって、
前記食用液体接着剤の適用は、約６ｄＰａ〜約１０ｄＰａの粘度を有する食用液体接着剤をスプレーすることを含む、方法。
【請求項５７】
請求項５５および５６のいずれかに記載の方法であって、
前記食用液体接着剤の適用は、約８７°Ｆ〜約１７５°Ｆの温度で食用液体接着剤をスプレーすることを含む、方法。
【請求項５８】
請求項５５〜５７のいずれかに記載の方法であって、
前記食用液体接着剤の適用は、約２００ｐｓｉ〜約１３００ｐｓｉの圧力で食用液体接着剤をスプレーすることを含む、方法。
【請求項５９】
請求項５５〜５８のいずれかに記載の方法であって、
前記食用液体接着剤の適用は、１秒当たり約１．０ｇ〜１秒当たり約２．０ｇのフローレートで食用液体接着剤をスプレーすることを含む、方法。
【請求項６０】
請求項５５〜５９のいずれかに記載の方法であって、
前記袋を前記平坦な状態から前記膨らんだ状態まで膨らますことは、前記側壁の外側表面に吸引を適用することを含む、方法。
【請求項６１】
請求項５５〜６０のいずれかに記載の方法であって、
前記少なくとも１つのスプレーデバイスを前記キャビティに挿入することは、第１および第２のスプレーデバイスを前記キャビティに挿入することを含む、方法。
【請求項６２】
請求項６１に記載の方法であって、
前記食用液体接着剤を、前記少なくとも１つの挿入されたスプレーデバイスからスプレーすることは、前記食用液体接着剤の第１の部分を前記第１のスプレーデバイスからスプレーして、前記接着コーティングの第１の部分を、前記側壁の前記内側表面に形成し、前記食用液体接着剤の第２の部分を前記第２のスプレーデバイスから適用して、前記接着コーティングの第２の部分を、前記下端部の前記内側表面に形成することを含む、方法。
【請求項６３】
請求項６２に記載の方法であって、
第１のスプレーデバイスは、縦軸周囲を回転可能であり、前記第２のスプレーデバイスは、横軸周囲を回動可能である、方法。
【請求項６４】
請求項５５〜６３のいずれかに記載の方法であって、
前記接着コーティングを乾燥することは、前記コートされた袋を熱乾燥することを含む、方法。
【請求項６５】
請求項５５〜６４のいずれかに記載の方法であって、
前記接着コーティングを乾燥することは、前記袋の外側表面に赤外線を適用することを含む、方法。
【請求項６６】
請求項５５〜６５のいずれかに記載の方法であって、
前記食用微粒子を前記挿入した微粒子ディスペンサーから放出することは、シーズニング微粒子、着色微粒子および保存料微粒子のうち少なくとも１つを放出することを含む、方法。
【請求項６７】
請求項５５〜６６のいずれかに記載の方法であって、
前記食用液体接着剤は、第１の接着剤であり、前記実質的に均一な食用接着コーティングは、第１の接着コーティングであり、前記方法は、第２の食用液体接着剤を、前記少なくとも１つの挿入されたスプレーデバイスからスプレーして、前記埋め込まれた微粒子に第２の食用接着コーティングを形成して、前記埋め込まれた食用微粒子が、前記第１と第２の接着コーティング間で捕捉されるようにすることをさらに含む、方法。
【請求項６８】
請求項６７に記載の方法であって、
前記第１および第２の食用液体接着剤は、実質的に同じ材料である、方法。
【請求項６９】
請求項６７および６８のいずれかに記載の方法であって、
前記第１および第２の食用液体接着剤は、実質的に同じ温度で適用される、方法。
【請求項７０】
請求項６７〜６９のいずれかに記載の方法であって、
前記第１および第２の食用液体接着剤は、スプレー時、実質的に同じ粘度を有する、方法。
【請求項７１】
請求項６７〜７０のいずれかに記載の方法であって、
前記食用微粒子を放出することが、第１の食用微粒子を放出することを含み、前記方法は、前記第２の食用液体接着剤スプレー後、第２の食用微粒子を放出して、前記第２の食用微粒子が、前記第２の食用接着コーティングに埋め込まれるようにすることをさらに含む、方法。
【請求項７２】
請求項７１に記載の方法であって、
前記第２の食用微粒子放出後、第３の食用液体接着剤を、前記少なくとも１つの挿入されたスプレーデバイスから適用して、前記第２の埋め込まれた食用微粒子に第３の食用接着コーティングを形成し、前記第２の埋め込まれた食用微粒子が、前記第２と第３の食用接着コーティング間で捕捉されるようにすることをさらに含む、方法。
【請求項７３】
請求項５５〜７２のいずれかに記載の方法であって、
前記実質的に均一な食用接着コーティングは、約２０ｍｇ／ｉｎ２〜約６０ｍｇ／ｉｎ２の面密度を有する、方法。
【請求項７４】
請求項５５〜７３のいずれかに記載の方法であって、
前記食用微粒子を放出することが、第１の食用微粒子を放出することを含み、前記方法は、前記第１の食用微粒子放出後、第２の食用微粒子を放出して、前記第１の食用微粒子とは異なる前記第２の食用微粒子を、前記接着コーティングに埋め込むことをさらに含む、方法。
【請求項７５】
請求項７４に記載の方法であって、
前記第１の食用微粒子は、前記第２の食用微粒子の平均粒子サイズの少なくとも１００倍の平均粒子サイズを有し、前記第２の食用微粒子は、前記埋め込まれた第１の食用微粒子間の空間において、前記接着コーティングに埋め込まれている、方法。
【請求項７６】
請求項５５〜７５のいずれかに記載の方法であって、
前記接着剤を適用して、前記接着コーティングを形成することが、通気された液体接着剤をスプレーして、接着コーティング全体にトラップされた気泡を有する接着コーティングを形成することを含む、方法。
【請求項７７】
請求項５５〜７７のいずれかに記載の方法であって、
前記接着剤を前記接着コーティングに適用することが、通気された液体接着剤をスプレーして、前記キャビティの前記内側表面に発泡接着コーティングを形成することを含む、方法。
【請求項７８】
請求項５５〜７８のいずれかに記載の方法であって、
前記内側表面が、約３０ダイン／ｃｍ〜約３８ダイン／ｃｍの表面張力を有する、方法
【請求項７９】
請求項５５〜７８のいずれかに記載の方法を用いて形成されたコートされた袋。
【請求項８０】
食材を処理するための、スプレーコートされた袋であって、
密封下端部から開放上端部まで延在するシームレス側壁を形成する熱収縮フィルムであって、前記下端部と側壁は併せて、キャビティの内側表面を画定する内側表面を有する、熱収縮フィルムと、
前記キャビティの前記内側表面に接着した実質的に均一な食用スプレー接着コーティングと、
前記接着コーティングに埋め込まれた食用微粒子とを含む、コートされた袋。
【請求項８１】
請求項８０に記載のコートされた袋であって、
前記熱収縮フィルムは、少なくとも約６０℃の延伸温度を有する、コートされた袋。
【請求項８２】
請求項８０および８１のいずれかに記載のコートされた袋であって、
前記食用微粒子は、シーズニング微粒子、着色微粒子および保存料微粒子のうち少なくとも１つを含む、コートされた袋。
【請求項８３】
請求項８０〜８２のいずれかに記載のコートされた袋であって、
接着コーティング対食用微粒子の重量比は、約１．０〜約２．０の間である、コートされた袋。
【請求項８４】
請求項８０〜８３のいずれかに記載のコートされた袋であって、
前記シームレス側壁は、実質的にチューブ状である、コートされた袋。
【請求項８５】
請求項８０〜８４のいずれかに記載のコートされた袋であって、
前記食用微粒子は、シーズニング微粒子、着色微粒子および保存料微粒子のうち少なくとも１つを含む、コートされた袋。
【請求項８６】
請求項８０〜８５のいずれかに記載のコートされた袋であって、
実質的に均一な食用接着コーティングは、約２０ｍｇ／ｉｎ２〜約６０ｍｇ／ｉｎ２の面密度を有する、コートされた袋。
【請求項８７】
請求項８０〜８６のいずれかに記載のコートされた袋であって、
前記実質的に均一な食用接着コーティングは、第１の食用接着コーティングであり、前記袋は、前記埋め込まれた食用微粒子に接着した第２の食用接着コーティングをさらに含み、前記埋め込まれた微粒子は、前記第１と第２の食用接着コーティング間で捕捉されている、コートされた袋。
【請求項８８】
請求項８７に記載のコートされた袋であって、
前記第１および第２の食用接着剤は、実質的に同じ材料である、コートされた袋。
【請求項８９】
請求項８７および８８のいずれかに記載のコートされた袋であって、
前記埋め込まれた食用微粒子は、第１の食用微粒子を含み、前記袋は、前記第２の食用接着コーティングに埋め込まれた第２の食用微粒子をさらに含む、コートされた袋。
【請求項９０】
請求項８９に記載のコートされた袋であって、
前記埋め込まれた第２の食用微粒子に接着した第３の食用接着コーティングをさらに含み、前記第２の埋め込まれた食用微粒子は、前記第２と第３の食用接着コーティング間で捕捉されている、コートされた袋。
【請求項９１】
請求項８０〜９０のいずれかに記載のコートされた袋であって、
前記食用接着コーティングは、加熱した時、前記埋め込まれた微粒子を分離するよう構成されている、コートされた袋。
【請求項９２】
請求項８０〜９１のいずれかに記載のコートされた袋であって、
前記食用接着コーティングは、水分に晒された時、前記埋め込まれた食用微粒子を分離するよう構成されている、コートされた袋。
【請求項９３】
請求項８０〜９２のいずれかに記載のコートされた袋であって、
前記接着コーティングは、前記接着コーティング全体にトラップされた気泡を含む、コートされた袋。
【請求項９４】
請求項８０〜９３のいずれかに記載のコートされた袋であって、
前記接着コーティングは、発泡接着コーティングを含む、コートされた袋。
【請求項９５】
請求項８０〜９４のいずれかに記載のコートされた袋であって、
前記内側表面は、約３０ダイン／ｃｍ〜約３８ダイン／ｃｍの表面張力を有する、コートされた袋。
【請求項９６】
食材を予備処理する方法であって、
密封下端部から開放上端部まで延在するシームレス側壁を形成する熱収縮フィルムであって、前記下端部と側壁は併せて、キャビティの内側表面を画定する内側表面を有する、熱収縮フィルムと、前記キャビティの前記内側表面に接着した実質的に均一な食用スプレー接着コーティングと、前記接着コーティングに埋め込まれた食用微粒子とを含む、スプレーコートされた袋を提供し、
前記食材を前記袋キャビティに収容し、
前記袋の前記開放上端部をシールして、前記食材を前記袋キャビティに密閉し、
前記袋を、延伸温度まで加熱して、前記袋を、収容して、前記密閉された品物の外側表面と周囲接触させ、
前記埋め込まれた食用微粒子が前記食用接着コーティングから分離されるのに十分な水分を含む前記密閉食材を前記収縮した袋に維持することを含む、方法。
【請求項９７】
請求項９６に記載の方法であって、
前記接着コーティングは、約２０ｍｇ／ｉｎ２〜約６０ｍｇ／ｉｎ２の面密度を有する、方法。
【請求項９８】
請求項９６および９７のいずれかに記載の方法であって、
前記熱収縮フィルムは、少なくとも約６０℃の延伸温度を有する、方法。
【請求項９９】
請求項９６〜９８のいずれかに記載の方法であって、
前記微粒子は、シーズニング微粒子、着色微粒子および保存料微粒子のうち少なくとも１つを含む、方法。
【請求項１００】
請求項９６〜９９のいずれかに記載の方法であって、
接着コーティング対微粒子の重量比は、約１．０〜約２．０の間である、方法。
【請求項１０１】
請求項９６〜１００のいずれかに記載の方法であって、
前記側壁は、実質的にチューブ状である、方法
【請求項１０２】
請求項９６〜１０１のいずれかに記載の方法であって、
前記接着コーティングは、加熱した時、前記埋め込まれた微粒子を分離するよう構成されている、方法。
【請求項１０３】
請求項９６〜１０２のいずれかに記載の方法であって、
前記接着コーティングは、水分に晒された時、前記埋め込まれた微粒子を分離するよう構成されている、方法。
【請求項１０４】
請求項９６〜１０３のいずれかに記載の方法であって、
前記接着コーティングは、前記接着コーティング全体にトラップされた気泡を含む、方法。
【請求項１０５】
請求項９６〜１０４のいずれかに記載の方法であって、
前記接着コーティングは、発泡接着コーティングを含む、方法。
【請求項１０６】
請求項９６〜１０５のいずれかに記載の方法であって、
前記内側表面は、約３０ダイン／ｃｍ〜約３８ダイン／ｃｍの表面張力を有する、方法。
【発明の詳細な説明】
【技術分野】
【０００１】
関連出願を相互参照
本出願は、２０１５年９月２１日出願の米国仮出願第６２／２２１，１７２号コートされたパッケージ製品、システムおよび方法の優先権を主張するものであり、内容を参照することにより全開示内容が組み込まれる。
【背景技術】
【０００２】
本発明は、概して、品物を添加材料により処理するためのパッケージ容器およびその他品物を保持する基材に関する。
【発明の概要】
【発明が解決しようとする課題】
【０００３】
パッケージされ後の使用のために保管される品物は、品物を向上、貯蔵その他改良して、改良された品物として最終的に販売や使用するために、添加材料により処理されることが多い。ある実施形態において、添加材料は、保管される品物と共に、パッケージ容器（例えば、保管袋や処理袋）に入れられ、経時または品物処理プロセスの開始時に、添加材料は、保管された品物にコート、浸透、吸収またはその他処理される。多くの場合、入れられた添加材料（例えば、液体、粉末またはゲル）は、容器の下部に溜まったり、積もったりする傾向があり、保管される品物の下部に適用される添加材料が多く、上部に適用される添加材料が少ないといった、添加材料が不均一となってしまう。ある用途における品物のこの不均一な処理は、保管容器を、大量の添加材料で充填することにより減じることができるが、過剰の添加材料を保管容器に入れることとなり、品物の取り出しや使用の際に、過剰の材料（および保管された品物に適用されていない材料）をパッケージから廃棄することになる。
【課題を解決するための手段】
【０００４】
本発明は、パッケージ容器に配置または保管される品物を収容する前に、パッケージ容器の内側表面に添加材料が接着される、パッケージ製品、システムおよび方法に関する。
【０００５】
本発明の例示の実施形態は、袋に保管された品物を処理するためのコートされた袋を製造する方法である。例示の方法において、密封下端部から開放上端部まで延在する側壁を有する袋が提供される。下端部と内側表面を有する側壁は併せて、キャビティの内側表面を画定している。袋の周囲は側壁により画定されていて、平坦な状態から膨らんだ状態まで変化する。少なくとも１つの接着剤ディスペンサーを、袋の開放上端部を通して、キャビティに挿入する。少なくとも１つの挿入された接着剤ディスペンサーから接着剤を適用して、キャビティの内側表面に接着コーティングを形成する。微粒子ディスペンサーを、袋の開放上端部を通して、キャビティに挿入する。挿入された微粒子ディスペンサーから微粒子を放出して、接着コーティングに微粒子を埋め込む。接着コーティングを乾燥して、側壁の内側表面に埋め込まれた微粒子を保持する、
【０００６】
本発明の他の例示の実施形態において、中に保持される品物を処理するためのスプレーコートされた袋は、熱収縮フィルム、スプレー接着コーティングおよび微粒子を含む。熱収縮フィルムは、密封下端部から開放上端部まで延在する側壁を形成する。下端部と内側表面を有する側壁は併せて、キャビティの内側表面を画定している。接着コーティングは、キャビティの内側表面に接着し、微粒子は、接着コーティングに埋め込まれている。
【０００７】
本発明の他の例示の実施形態は、品物を予備処理する方法に関する。例示の方法において、スプレーコートされた袋が提供される。袋は、密封下端部から開放上端部まで延在する側壁を形成する熱収縮フィルムを含む。下端部と内側表面を有する側壁は併せて、キャビティの内側表面を画定している。接着コーティングは、キャビティの内側表面に接着し、微粒子または添加剤は、接着コーティングに埋め込まれている。品物は袋キャビティに収容され、袋の開放上端部はシールされて、品物を袋キャビティに密封する。袋が、延伸温度まで加熱されると、密封された品物の外側表面と周囲が接触するまで袋は収縮する。密封された品物は、埋め込まれた微粒子や添加剤が接着コーティングから分離されて、分離された微粒子が、密封された品物の外側表面に実質的に均一に適用されるのに十分な時間、収縮した袋に維持される。
【図面の簡単な説明】
【０００８】
本発明のさらなる特徴および利点は、図面を参照した以下の詳細な説明から明らかになるであろう。
【図１】本発明の例示の実施形態に係る例示のコートされた袋の概略図である。
【図２】図１のコートされた袋の概略拡大部分断面図である。
【図３】本発明の例示の実施形態に係る他のコートされたパッケージ基材の概略拡大部分断面図である。
【図４】本発明の例示の実施形態に係る他のコートされたパッケージ基材の概略拡大部分断面図である。
【図５】本発明の例示の実施形態に係る他のコートされたパッケージ基材の概略拡大部分断面図である。
【図６】本発明の例示の実施形態に係る他のコートされたパッケージ基材の概略拡大部分断面図である。
【図７】図７Ａは食材の予備処理用の食材を保管するコートされた袋の概略図である。図７Ｂは、図７Ａのコートされた袋および食材の概略拡大部分断面図である。
【図８】図８Ａは、図７Ａのコートされた袋および食材の概略図であり、袋が食材周囲と接触して熱収縮している図である。図８Ｂは、図８Ａの熱収縮したコートされた袋および食材の概略拡大部分断面図である。
【図９】本発明の例示の実施形態に係る例示の袋コーティングシステムの概略図である。
【図１０】本発明の例示の実施形態に係るコートされた袋の接着剤ディスペンサー構成の概略図である。
【図１１】本発明の例示の実施形態に係るコートされた袋の微粒子ディスペンサー構成の概略図である。
【発明を実施するための形態】
【０００９】
詳細な説明は、例示の実施形態を単に説明するものであり、請求の範囲を何ら限定するものではない。本発明は、例示の実施形態より広く、これに限定されない。請求の範囲で用いた用途は、通常の意味を有する。例えば、本明細書に記載したパッケージ製品、システムおよび方法の特定の例示の実施形態の多くに、熱収縮食品保管袋が含まれている。袋の内側表面にスプレーされた食用接着剤（例えば、糖成分による炭水化物グルー）および袋に分離され、接着コーティングに埋め込まれたシーズニング粒子でコートされていて、保管された食材の湿った外側表面周囲と接触して袋が収縮した後、コーティングは、シーズニング粒子を保管された食材へ分離するように構成されている。接着剤の溶解およびシーズニング粒子の分離が促される。本発明による他の実施形態における１つ以上の態様において、後述する、他のタイプのパッケージ製品、中に入れられる品物、接着剤、微粒子、微粒子添加剤（例えば、液体やゲル）、乾燥または硬化方法、および添加剤分離方法を、別個に、または組み合わせて、追加して、または代替として利用してもよい。
【００１０】
図１に、本発明の特定の態様によるコートされた袋１０を示す。例示の袋１０は、密封下端部１２を形成するフィルム１１と、下端部から開放上端部１４まで延在する側壁１３とを含む。下端部１２および側壁１３は、併せて、品物を収容する袋のキャビティ１５の内側表面を画定する。
【００１１】
袋は、例えば、丸底、角底、円柱、円錐、マチ付き、シームあり、シームなし、をはじめとする様々な形状および様々なサイズで提供され、例えば、これらに限られるものではないが、約１０インチ〜約３６インチの長さおよび約５インチ〜約１４インチの幅を有する袋が挙げられる。
【００１２】
図２の拡大部分断面図に示すとおり、コーティング１７が、例示の袋１０の袋キャビティ１５の内側表面に接着している。本明細書に記載したとおり、コーティングは、袋に収容される品物の処理、向上または改良するための１つ以上の添加剤を含んでいてもよい。これについては後で詳述する。例示の実施形態において、図２の拡大断面図に示すとおり、コーティング１７は、接着層１８と接着層に埋め込まれた固体粒子１９とを含む。他の実施形態において、コーティングは、接着層のみ（埋め込まれた粒子なし）を含んでいてもよく、接着層は、１つ以上の添加材料（例えば、液体、ゲルまたは接着層に懸濁できる小さな粒子）を含む。本明細書で用いる「接着材料」、「接着コーティング」および「接着層」は、他の材料（例えば、固体粒子）を、材料、コーティングまたは層が接着される基材に接着する材料、コーティングおよび層ばかりでなく、他の材料へ接着せずに、基材にそれら自体が接着する材料、コーティングおよび層も含む。
【００１３】
様々な好適なコーティング接着剤、例えば、食用または非食用接着剤を、本発明の様々な例示の実施形態で用いてよい。食用接着剤としては、熱溶解性接着剤、様々な溶媒（例えば、水、脂肪、アルコール等）に可溶の接着剤、永久接着剤、リピド（例えば、ラード、油）、含油樹脂、ゼラチン、繊維系接着剤（例えば、植物エキス、バイオポリマー）、スラリー、糖アルコール、シロップ（例えば、コーンシロップ、フレーバーシロップ、カラメルシロップ等）およびガム（例えば、アラビア、カラギーナン等）が例示される。一実施形態において、糖系炭水化物グルーが、袋の内側表面をコーティングし、接着層に埋め込まれた食用微粒子を保持するための食用接着剤として用いられる。
【００１４】
接着層に埋め込まれた、またはその他接着された粒子の種類、量およびサイズは様々である。コートされた食品パッケージに適用されたシーズニングのような粒子のサイズは、保管された品物に適用される添加剤の種類に応じて変わり、顆粒形態であってよい。例えば、粉砕レッドペッパーフレーク等のシーズニングは、顆粒サイズ１０メッシュ〜３０メッシュである。他の例示のシーズニングは、約５メッシュ〜約１０メッシュの顆粒サイズであってよい。一実施形態において、シーズニング層に用いるシーズニングの約９５％が、約８０メッシュより大きな顆粒サイズで、シーズニングの約５％が、約８メッシュより大きな顆粒サイズである。他の実施形態において、シーズニング層に用いるシーズニングの約２０％が、約１００メッシュより小さな顆粒サイズで、シーズニングの約７５％が、約８０メッシュより大きな顆粒サイズで、シーズニングの約５％が、約８メッシュより大きな顆粒サイズである。
【００１５】
例えば、好適な食用または非食用微粒子をはじめとする様々な好適な品物処理微粒子を、本発明の様々な実施形態において用いてよい。食用微粒子としては、シーズニング、スパイス、着色剤、保存料、ナッツ製品、チーズ、本物または模造肉粒子（例えば、ベーコンビッツ）、パン粉付け（例えば、パン粉）、コーンミール、抗菌材料、硬化剤、ホエー、粉末サプリンメント（例えば、ビタミン、ミネラル、プロテイン、ファイバー、カフェインおよび、例えば、朝鮮人参等のハーブサプリメント）、酸味料、ココアパウダー、コーヒー、ドライフード粒子（例えば、野菜、果物）、機能性食品、プロバイオテクス、脱臭剤、香料および粉末アルコールが例示される。非食品ベースの実施形態において、例示の非食用微粒子としては、例えば、乾燥剤、防食剤、抗ＵＶ添加剤、塗料および砂が挙げられる。医療用としては、例えば、抗生物質や鎮痛剤といった医療サプリメント添加剤を用いてよい。
【００１６】
適用された接着剤（例えば、食用接着剤）対微粒子（例えば、シーズニング）の比もまた、袋の内側に適用される微粒子の種類および量に応じて異なる。一実施形態において、微粒子の量に対する接着剤の量は、約５０重量％〜約２００重量％の範囲である。一例を挙げると、食用接着剤は、１平方インチ当たり約３０ｍｇ〜１平方インチ当たり約６５ｍｇの範囲の量で適用され、シーズニング微粒子は、１平方インチ当たり約２０ｍｇ〜１平方インチ当たり約１１０ｍｇの範囲の量で適用される。他の例を挙げると、食用接着剤は、１平方インチ当たり約１ｍｇ〜１平方インチ当たり約３ｍｇの範囲の量で適用される。さらに、接着剤の層および微粒子の層の厚さは、適用される微粒子の種類および量に応じて異なる。例えば、大きめの微粒子を適切に埋め込むためには、厚めの接着層が必要である。一例を挙げると、食用接着層の厚さは、約１ミル〜約３ミルの範囲、シーズニング層の厚さは、約２．２ミル〜約５ミルの範囲である。ある実施形態において、添加された微粒子は、接着コーティングに実際に接着した量ではなく、袋に添加された量に基づいて測定されるため、微粒子の未接着部分の説明がつく。例えば、約２〜２０グラムの微粒子が、１００ｉｎ２のコートされた内側表面を有する袋に添加される。
【００１７】
ある実施形態において、コートされた袋（またはその他容器またはパッケージ基材）は、指定した最小部分または量の添加微粒子を袋コーティングに接着するよう構成された接着層および微粒子分配方法（詳細は後述）により作製される。この指定した最小部分は、袋に添加された微粒子の総量のパーセント（例えば、添加微粒子の少なくとも約８０％）として、適用された接着剤の重量に比例する量（例えば、接着剤総重量の少なくとも５０％に対応する重量基準の微粒子の量）として、定量され、コートされた袋表面の微粒子による被覆率は、例えば、コートされた袋表面の光学スキャニング（例えば、コートされた袋表面の少なくとも９０％を覆う微粒子）、その他測定方法または測定方法の組み合わせにより求められる。接着微粒子の最小部分は、袋コーティングの総表面積、袋に添加された微粒子の総量、袋のサイズおよび形状、微粒子の種類および／またはサイズ、ならびにその他のかかる因子に、部分的に依存している。
【００１８】
所定の合計量の微粒子を袋（またはその他容器またはパッケージ基材）に添加する場合、添加した微粒子の一部は、接着コーティングに接着されない。この「ばらの」微粒子は、袋に保持（例えば、袋の下部に堆積）されて、既知の所定の総量の微粒子が、保管した品物の処理のために袋の中に残る。ある実施形態において、袋に添加される所定の総量の微粒子は、袋に保持されるばら微粒子のこの部分が効果的に最小となるように選択される。他の実施形態において、ばら微粒子は袋から、真空機構により、袋を逆さまにして、ばらの微粒子を出すことにより除去される。かかる実施形態において、接着層および微粒子分配方法の有効性は、保持された品物を適切に処理するために、保管された品物に十分な微粒子添加剤を与えることに依拠している。
【００１９】
本明細書に記載した実施形態の多くには、例えば、袋に保持された品物を均一に処理するために、均一に適用された接着コーティングを有する袋または容器基材が含まれるが、他の実施形態においては、コーティングは、例えば、品物の限定した部分に接着剤を適用するために、袋の内側側壁に所定またはランダムパターンで適用されることがある。例えば、着色添加剤は、グリルマークパターンで食材に適用されたり、品物の表面にロゴが適用されたりする。他の例として、は、添加剤を含むコーティングは、パッケージ基材の限定した部分（例えば、袋内側の片側、または袋内側の交互ストライプで）に提供されて、品物に適用された添加剤の量を限定したり、接着剤が適用される品物の部分を限定したり、またはパッケージ基材の透明の未コート部分を通した保管製品を目視できるようにする。さらに他の実施例として、第１の添加剤を含むコーティングを、パッケージ基材の第１の部分に適用し、第２の添加剤を含むコーティングを、パッケージ基材の第２の部分に適用して、例えば、異なる添加剤を保管された品物の異なる部分に適用する。
【００２０】
上述したとおり、接着および微粒子の層は、適用時には別個であり、袋コーティング１７の微粒子１９は、接着層１８に少なくとも部分的に埋め込まれている。変形実施形態においては、図３に示すとおり、コートされた袋またはその他容器２０は、微粒子２９が適用前に混合された接着層２８を有する接着コーティング２７を含み、接着剤および微粒子は、１工程適用プロセスで、単一の組み合わせ層として適用される。微粒子２９は、接着層２８内で混じり合っている。
【００２１】
他の実施形態において、微粒子は、別の接着層を用いずに、袋（またはその他容器またはパッケージ基材）の内側表面へ接着するために処理してもよい。例えば、接着フィルムまたはその他表面を有する微粒子を袋に分配して、微粒子を、袋の内側表面に接着する。他の例を挙げると、粒子をイオン化または静電的に帯電させて、袋の内側表面に静電的に付加させてもよい。ある用途においては、粒子を袋の内側に一時的に接合するだけで十分な場合がある。例えば、粒子を袋内部に接着させた直後に袋に品物を収容する場合等である。
【００２２】
他の実施形態において、接着層を、微粒子を覆うように適用して、微粒子を基材に保持、接着または結合させてもよい。図４に示すとおり、コートされた袋またはその他容器３０は、パッケージ基材３３に接着した第１の接着層３８ａを有する接着コーティング３７と、第１の接着層３８ａに埋め込まれた微粒子３９と、微粒子３９を覆って、例えば、微粒子を接着コーティング３７内に保持または結合する第２の接着層３８ｂとを有していてよい。各接着層は、実質的に同量の同じ種類の接着剤を含んでいるが、他の実施形態においては、第１および第２の層の接着剤の量は異なっていてもよい。例えば、微粒子３９が埋め込まれた第１の接着層と違って、第２の接着層３８ｂは、例えば、結合または固化させたグレーズまたはトップコートとしての薄い層または少量の接着剤であってよい。さらに、または、あるいは、第１および第２の接着層の接着組成物を変えてもよい。
【００２３】
さらに他の実施形態において、微粒子の多層をパッケージ基材に適用して、例えば、パッケージ基材の限られた表面積に微粒子を埋め込むことにより保持できるよりも多くの微粒子を保持したり、異なる添加剤を別の連続適用で適用してもよい。図５に示すとおり、コートされた袋またはその他容器４０は、パッケージ基材４３に接着した第１の接着層４８ａを有する接着コーティング４７、第１の接着層４８ａに埋め込まれた第１の微粒子４９ａ、第１の微粒子４９を覆う第２の接着層４８ｂ、および第２の接着層４８ｂに埋め込まれた第２の微粒子４９ｂを有していてよい。
【００２４】
他の実施形態において、埋め込まれた微粒子に加えて、またはその代わりに、本発明の実施形態で用いる添加剤は、非微粒子添加剤（例えば、微粒子添加剤に加えて、またはその代わりに）、例えば、液体やゲルを含んでいてもよい。液体またはゲル添加剤は、接着剤と混合して、単一の接着層によるパッケージ基材コーティングを形成するが、他の例示の実施形態においては、図６に示すとおり、コートされた袋またはその他容器５０は、パッケージ基材５３に接着した接着層５８を有する接着コーティング５７および接着層５８に接着した別の液体またはゲル添加剤層５９を有していてもよい。
【００２５】
例えば、好適な食用または非食用液体／ゲル添加剤をはじめとする、様々な好適な品物処理非微粒子添加剤を、本発明の様々な例示の実施形態において用いてよい。本発明の実施形態において用いられる液体添加剤としては、例えば、天然または人口着色料（例えば、染料）、天然または人口フレーバー（例えば、ソース、ジュース、マリネ）、くん液、酸味料、天然エキス、シロップ、フェノール（例えば、レスベラトロール）、液体サプリ（例えば、ビタミン、ミネラル、プロテイン、ファイバー、カフェイン、ハーブサプリ）、防臭剤、香料およびアルコールが挙げられる。非食品系の実施形態においては、例示の液体添加物としては、例えば、塗料や染料が挙げられる。本発明の実施形態で用いるゲル添加剤としては、例えば、アロエベラゲルやその他ハイドロコロイドが挙げられる。
【００２６】
本発明の他の態様によれば、任意の数の接着層、微粒子層および非微粒子添加層、例えば、上述した接着剤、微粒子および非微粒子添加層を、パッケージ基材に保持された品物の向上または処理のためにパッケージ基材表面に提供してよい。
【００２７】
本発明は、コートされた袋を様々な用途で用いることを意図しているが、一実施形態において、コートされた袋は、食品または食材を保管（例えば、冷蔵、冷凍または室温、常温保存条件で）、下ごしらえ（例えば、マリネする）および／または調理（例えば、焼く、煮る、レンジにかける）、その他処理するのに用いるため、袋に入れられる食材に１つ以上の添加剤を適用するための食用（すなわち、非毒性）内側コーティングが含まれる。本明細書で用いる「食材」という用語は、用いることのできる、または食品として用いるのに下ごしらえされる物質を指す。一実施形態において、食材は、魚や肉（例えば、ターキー、チキン、ビーフ、ポーク等）、チーズや豆腐といったタンパク質系である。他の実施形態において、食材は、ブロッコリー、人参、芽キャベツ、コーン等といった１種類以上の野菜である。他の実施形態において、食材は、穀物やナッツ、豆といった１種類以上のその他の食品、または食品を組み合わせたものである。
【００２８】
袋コーティングの中の添加剤を、袋キャビティに含まれる品物に適用するために、コーティングは、加熱、湿潤（例えば、水、脂肪、アルコールまたはその他溶剤により）その他処理して、袋の内側表面から添加剤を分離させて、添加剤が、品物の外側表面と接触、浸透、吸収その他処理できるように構成されている。例示の実施形態において、コートされた食品保管袋の接着層は、袋の中のパッケージされた食品の冷蔵保管中、例えば、適切な分離温度で、微粒子を分離するように構成されている。添加剤が、接着層に埋め込まれた、および／またはカバーされた微粒子の形態で提供される場合、接着層の溶解、融解、剥離その他分離によって、袋キャビティの内側表面から品物の外側表面へ微粒子が分離される。さらに、または代わりに、加熱、湿潤または、接着層の溶解や分離とは関係なく、場合によっては、接着層の溶解や分離せず、その他処理により、接着層に埋め込まれた微粒子自体が溶解またはその他外れる。
【００２９】
本発明の一態様によれば、コーティング添加剤を保管された品物に分離するための条件（例えば、温度、水分等）を選択して、添加剤の所定量または所定の程度の分離を行うことができる。例えば、分離条件（例えば、温度や含水量）を選択して、コーティング添加剤の分離の開始に対応させることができる。他の例を挙げると、分離条件を選択して、接着添加剤の特定の部分（例えば、接着添加剤の少なくとも約７５％）の分離に対応させたり、組み合わせた接着剤と添加剤コーティング（例えば、袋コーティングの少なくとも約７５％）の特定の部分の分離に対応させることができる。分離条件としては、約２８°Ｆ〜約２００°Ｆの温度範囲、約１８％〜約１００％（ｗｂ）の含水量、約１５分〜約２時間以上（温度による）の時間遅延、またはこれらのパラメータの２つ以上の組み合わせが挙げられる。添加剤分離の量または程度は、例えば、分離条件になる前と後でコーティング袋を秤量することにより測定することができる。
【００３０】
袋またはその他容器の内側表面に接着した添加剤が分離されると、分離された添加剤は、容器キャビティの下部に落下または滑り落ちる傾向があり、その結果、添加材料の大部分が、下部にある保管された品物の下側部分に適用され、添加材料の一部が、容器キャビティの下部から上がった保管された品物の上側部分に適用されるという不均一化が生じる。された添加剤が、袋の下部に溜まったり、集中して、その結果、品物の不均一な処理となるのを防ぐ、または最小にするには、袋は、コーティングから添加剤が分離される前、または実質的にそれと同時に、袋を品物と周囲が接触するように配置して、品物と袋の接触が、袋キャビティの下部へ分離された添加剤が落下したり滑るのを防ぐ。一実施例において、袋またはその他容器は、品物を最初に容器に入れるときに周囲と接触した品物を近接して収容するサイズおよび形状とすることができる。他の例示の実施形態において、「収縮」袋（例えば、後述する熱または真空収縮性）は、品物処理添加剤の分離開始前、または実質的にそれと同時に、収縮し、つぶれ、その他延伸されて、周囲と接触させて、分離される添加剤が溜まるのを十分に最小となるように、袋と品物の間を接触させて、添加剤は袋に接着したままとする。
【００３１】
ある実施形態において、保管された品物の外側表面は、袋コーティングが品物の外側表面と接触するとき、袋コーティングから品物へ添加剤の分離を開始する１つ以上の特性（例えば、水分、溶剤、温度、接着剤）を有している。その結果、袋の内側表面の一部に接着した添加剤は、品物が袋内側表面の部分と接触するまで分離されない。品物が、収縮した袋のキャビティの下部に配置された場合、収容された品物の下側表面は、袋の下部に接着した接着剤の分離を開始する。袋の下部が実質的に平らな場合、袋の下部に溜まった分離された添加剤は無視できる。袋の下部が平らでない場合（例えば、袋のシームありの底や凹凸のある表面に支持される袋）や、収容された品物も袋の側部と接触が緩い場合、袋の表面から分離された添加剤が溜まるのはより顕著となる。かかる実施形態においては、品物を袋に入れてから比較的短時間（例えば、３０秒未満）内に、袋を、収容された品物と周囲で接触するよう収縮させ（例えば、熱収縮および真空吸引のうち１つ以上により）、袋が品物と周囲で接触する前に、添加剤の分離部分を最小にし、まだ緩んだ袋の中で分離した添加剤が溜まったり、集まるのを防ぐのが望ましい。
【００３２】
例示の実施形態において、図７Ａ、７Ｂ、８Ａおよび８Ｂに示すとおり、コートされた収縮した袋１０を用いて、食材ｆをパッケージし、食材の外側表面を、袋コーティング１７に含まれる微粒子添加剤１９で均一に処理する。食材ｆを、コートされた袋キャビティに収容し、袋の開放端を、例えば、ヒートシーリング、接着シーリングまたは機械シーリングにより、密閉シールして、図７Ａおよび７Ｂに示すとおり、「食材パッケージ」プロセスを完了したら、袋１０を、熱収縮した袋の収縮が始まる選択温度（すなわち、熱収縮材料の延伸温度以上の温度）まで加熱して、食材と周囲接触させる。一実施形態において、少なくとも約６０℃の延伸温度を有する熱収縮フィルムを選択する。収縮した袋１０'のコートされた内側表面が、図８Ａおよび８Ｂに示すとおり、食材ｆの湿った外側表面と接触すると、湿った接着層が溶融して、埋め込まれた微粒子１９（例えば、シーズニング、着色剤）が、食材ｆの接触している外側表面に分離される。袋は、食材パッケージング後はいつでも、熱収縮させて、食材と周囲接触させてよいが、ある実施形態においては、熱収縮プロセスは、食材パッケージング後短い間に開始して（例えば、３０秒未満）、袋が熱収縮して、食材と周囲接触する前の、微粒子の分離を最小にし、例えば、分離された微粒子がまだ緩い袋の中に溜まったり集まるのを避ける。
【００３３】
他の実施形態において、コートされた袋にパッケージされた食材は、袋に詰めた食材の調理中、例えば、食材をレンジしたり、クック・イン・バッグ（例えば、ボイル・イン・バッグやベーク・イン・バッグ）で用意する間、コーティングについた接着剤を分離するよう構成されている。一実施例において、コートされた袋の接着コーティングは、高温で溶融その他分解して、調理中、食材に添加剤を分離するように構成される。他の実施例においては、室温で表面にほとんど、または全く水分のない袋詰めされた食材（例えば、ポテト）は、袋詰めされた食材の加熱中、接着剤を、食材に分離するために、接着コーティングを溶解するのに十分な蒸気その他水分を生成する。
【００３４】
本発明の他の態様によれば、パッケージされた品物（例えば、食材）の均一なコーティング、シーズニング、硬化、着色またはその他均一な添加剤処理は、可撓性のある、連続した内側側壁表面を画定するシームレスな袋を用いることにより最大限になる。シームのない袋だと、シームありの袋の表面に生じるであろう、品物表面処理における不整合やずれ（例えば、高または低コーティング濃度）が生じにくい。シームありの袋は、袋を形成する前に、接着材料でコートされたフィルムから形成され、フィルムのシートストックは、ロールから、接着剤が適用される（例えば、フィルムにスプレーされる）適用ゾーンへ供給されるが、シームレス袋（例えば、熱収縮した袋）の接着コーティングは、袋の少なくともシームレス側壁部分の形成後になされる必要がある。このように、本発明は、接着コーティングを、形成した容器（例えば、シームレス袋）の内側表面に適用する様々な方法を意図している。
【００３５】
形成した袋の内側表面にコーティングするシステムは、例えば、スプレー、ブラシまたはスポンジ適用、浸漬、リンスまたはフラッディングのうち１つ以上を利用する。ある実施形態において、接着材料は、袋の外側表面に適用してよい。続いて、袋を裏返しにして、接着コーティングを、袋の内側表面にも最終的に適用する。他の実施形態において、接着剤ディスペンサーが、接着材料を袋キャビティに分配（例えば、スプレー、注入、注ぐ、ポンプ）する。接着材料は、袋キャビティ外に配置された接着剤ディスペンサーから分配されるが、他の実施形態においては、接着剤ディスペンサーを袋キャビティに入れて、袋キャビティに、より均一なコーティングを施してもよい。
【００３６】
図９は、袋に保管された品物を予備処理するためのコートされた袋ｂを形成する例示のシステム１００の概略図である。例示のシステム１００は、袋保持固定具１２０、接着剤ディスペンサー１３０、微粒子ディスペンサー１４０および乾燥機構１６０のうち１つ以上を有する。
【００３７】
コートする一つ以上の袋を、袋保持固定具１２０と係合または保持すべく供給または搬送された袋の任意の好適な構成（図示せず）を用いて、例えば、穿孔袋のロール、山積みの袋、ウイケット袋構成または手動により搭載された袋を、システム１００に導入または配置する。
【００３８】
袋保持固定具１２０は、袋の内側表面への接着剤および／または微粒子の適用を促すために、開放または膨張位置で、コートする袋ｂを保持する任意の好適な構成を利用する。例えば、袋保持固定具１２０には、袋の上端を締めるために、締め具、クリップその他取り付け具を用いてもよい。取り付け具は、袋の上端を広げられるよう可動なものであり、それによって、袋が開放または膨張する。この取り付け具は、袋の上端部分に限定して、後にシールされるため、この部分に内側コーティングは必要ではなく、これによって、固定具が、この上端部分の内側表面と接触する。例示の実施形態において、袋保持固定具１２０は、袋ｂの上部内側部分をカバーまたはマスクするよう（例えば、バンド、カフその他構造）構成されていて、接着コーティングが上部内側部分に付くのを防いで、接着コーティングおよび／または接着コーティングに接着した微粒子が、袋の上部に後にされるシーリングを損なわないようにする（例えば、品物を袋に入れた後）。
【００３９】
他の例を挙げると、送風機を用いて、袋の内側に加圧空気（またはその他加圧ガス）を適用して、袋を開放された膨張状態に膨らましてもよい。さらに他の例を挙げると、袋スプレッドブロックを袋に挿入して、袋を開放された膨張状態に広げてもよい。さらに他の例を挙げると、複数の吸引アプリケータを袋の外側表面と接触させ、袋側壁に真空吸引を行って、袋を開放された膨張状態に維持する。例示の実施形態において、第１の開放機構１２１（例えば、送風機または袋スプレッドブロック）を用いて、まず、袋ｂを膨張状態に開き、第２の保持機構１２２（例えば、吸引アプリケータ）を用いて、接着剤および／または微粒子分配操作中、袋ｂをこの膨張状態に維持する。かかる一実施形態において、第１の開放機構１２１は固定し、保持機構１２２は、コンベヤー１０５に沿って、袋保持固定具１２０と共に移動して、開いた袋ｂを、コンベヤー１０５に沿って、１つ以上の袋コーティングステーション（例えば、接着剤ディスペンサー１３０または微粒子ディスペンサー１４０）に動かす。袋膨張および保持固定具は、コーティング材料が袋の内側側壁に均一に適用されるのを促すために、袋の内側に鋭角な部分や、尖った角や、しわのない、膨張状態に袋をするよう構成されている。
【００４０】
接着剤ディスペンサー１３０は、接着コーティングを袋ｂの内側表面に適用する好適なデバイスを含んでいればよいが、例示の実施形態においては、図１０に示すとおり、接着剤ディスペンサー１３０は、開放または膨張した袋のキャビティに挿入可能で、液体接着剤の実質的に均一なコーティングを、袋ｂの内側表面に適用するよう構成されたノズル１３４を有する１つ以上のスプレー１３２を有する。図示した実施例においては、袋ｂは、袋の一端を上向きにして固定して、ノズル１３４が、上から開いた袋に下がる、または挿入されるようになっている。他の実施形態において（図示せず）、袋は、開放端を下向きにして固定して、ノズルが、下から開いた袋に上がる、または挿入されるようになっている。さらに他の実施形態において、管形基材（例えば、一端または両端をシーリングする前の袋）の内側表面をコートする場合、ノズルは、管の一方または両方の開放端に挿入される。
【００４１】
ノズル１３４は、接着剤を、全側壁内側表面に同時に適用するために、スプレーの全周囲に延びるスプレーパターンとなるように構成してもよい。他の実施形態において、図１０に示すとおり、スプレー１３２ａのノズル部分１３４ａは、ノズル部分１３４ａは、縦軸Ｙ周囲を回転するため、接着剤を側壁内側表面の全内側周囲に適用するスプレー操作中、縦軸Ｙ周囲の袋に対して（例えば、モーター駆動シャフトにより）回転可能であってもよい（例えば、矢印Ａの方向に）。あるいは、ノズルは、回転可能なまま固定されたままで、袋は、ノズルに対して回転して、接着剤を、側壁内側表面の全周囲に適用するようにしてもよい。
【００４２】
さらに、接着剤を、バックキャビティ側壁の全縦方向長に同時に適用するために、スプレーを開放された膨張した袋に挿入すると、ノズルは、袋キャビティ側壁の全縦方向長に実質的に沿って伸びる縦方向矩形スプレー源を画定する。袋キャビティ側壁のこの縦方向長には、袋が実質的にシールされる袋側壁の上端部は含まれない。他の実施形態において、図１０に示すとおり、スプレー１３２ａのノズル部分１３４ａは、側壁の全縦方向長に接着剤を適用するスプレー操作中、袋に対して矢印Ｂに沿って縦軸Ｙに沿って縦方向に可動である。あるいは、ノズルは、縦方向に固定されたままでもよく、袋を、側壁の全縦方向長に接着剤を適用するために、ノズルに対して縦方向に動かしてもよい。
【００４３】
シールされた下端を有する袋は、横向きの側壁部分に加えて、上向きの下部分を表す。ある用途において、袋の下部まで流れるよう側壁に過剰の液体接着剤をスプレーすることに頼ると、袋の一部のコーティングが不均一になったり、十分になされない場合がある。袋の下部に接着コーティングを与えるには、挿入したスプレーのノズルを、横方向（すなわち、袋の側壁部分をコートする）と、下方向（すなわち、袋の下部をコートする）の両方に液体接着剤をスプレーするように構成するとよい。
【００４４】
他の実施形態において、図１０に示すとおり、袋ｂの内側表面をコーティングするための接着分配構成は、液体接着剤を袋の側壁部分の内側表面に横方向にスプレーするための第１の接着剤ディスペンサー１３２ａ（例えば、上述した）と、液体接着剤を袋の下部の内側表面に下方向にスプレーするための第２の接着剤ディスペンサー１３２ｂとを利用して、実質的に均一な接着コーティングを袋キャビティ全体に与える。かかる実施形態にいて、第１および第２の接着剤ディスペンサー１３２ａ、１３２ｂは個別に調整可能で（例えば、スプレー時間、圧力、粘度、ノズルの動き、通過回数のうち１つ以上を調整することにより）、コーティング厚さ、接着力および均一性を最良にすることができる。かかる一実施形態において、図１０に示すとおり、第２の接着剤ディスペンサー１３２ｂのノズル部分１３４ｂはスプレー操作中、横軸Ｘ周囲を回動可能である。ノズル部分が横軸周囲を回動するので、接着剤が袋キャビティの下部表面全体に適用される。例えば、横方向の動きや、垂直軸周囲の回転の動き等、第２の接着剤ディスペンサーノズルの他の動きをさらに、または代わりに用いてもよい。
【００４５】
上述したとおり、例えば、約１ｄＰａ〜約１００ｄＰａの粘度を有する接着剤をはじめとする多くの異なる種類の液体接着剤を、袋キャビティにスプレーしてよいが、例示の実施形態において、液体接着剤の粘度を限定または制御して、例えば、スプレーノズル部が詰まるのを減じる、または防ぐ、接着剤を適用するのに必要な圧力を減じる、かつ／または袋キャビティにおける均一な接着コーティングの形成を促してもよい。かかる一実施形態において、液体接着剤は、スプレーすると、約５ｄＰａ〜約４０ｄＰａ、約５ｄＰａ〜約２５ｄＰａ、または約６ｄＰａ〜約１０ｄＰａの粘度を有する。液体接着剤の粘度を、スプレーに好適な範囲まで減じるために、既存の接着剤を水でさらに希釈してもよい。例えば、約４０ｄＰａ〜約８５ｄＰａの標準粘度を有する食用接着剤を、約１０％〜約３３％の水で希釈して、約６ｄＰａ〜約１０ｄＰａの粘度を有するスプレー可能な液体接着剤としてもよい。さらに、または代わりに、液体の粘度を、スプレーに好適な範囲まで限定するために、液体接着剤の温度を上げてもよい。一実施形態において、約８０ｄＰａ〜約８５ｄＰａの室温粘度を有する接着剤を、約８７°Ｆ〜約１７５°Ｆ（または約１１０°Ｆ〜約１６０°Ｆ）の温度まで加熱して、粘度を約２５ｄＰａ〜約４０ｄＰａまで減じる（および、さらに、スプレー性を改善するために、上述したとおり、水で希釈してもよい）。接着剤は、希釈していない、または少し希釈した状態だと、接着特性を良好に維持するため、ある用途においては、液体接着剤を加熱して希釈するのが好ましい。周囲条件下で、袋と接触させる際、この加熱した液体は、好適な温度まで冷却して、袋材料が、溶融、軟化、熱収縮せず、その他加熱液体接着剤に影響されないようにする。かかる例示の一実施形態において、約１１０°Ｆ〜約１６０°Ｆの温度まで加熱した液体接着剤は、袋材料に悪影響を与えないために、ノズルから約３インチ〜約１１インチで袋表面に安全にスプレーされる。
【００４６】
袋表面（またはその他かかるパッケージ基材）に適用される液体接着剤の量は、接着層に接着される微粒子（またはその他材料）の量や種類、またはパッケージに望ましい接着層に含まれる材料の量によって異なる。例えば、袋またはその他パッケージ基材に、粉末微粒子（例えば、抗菌粒子）の接着のために、約３０ｍｇ／ｉｎ２〜約６５ｍｇ／ｉｎ２、または、大きめの粒子（例えば、粉砕ブラックペッパーまたはその他大きめのスパイス粒子）の接着のために、約１ｇ／ｉｎ２〜約３ｇ／ｉｎ２の面密度範囲、あるいは、これら２つのサイズの上下端間の粒子を接着するためのこれら２つの範囲間の面密度範囲を有する接着層を与えてもよい。
【００４７】
液体接着剤、特に、低粘度液体接着剤を、袋フィルムまたは側壁等の横方向に延びるプラスチック基材にスプレーするとき、液体接着剤は、基材表面で乾燥または硬化する前に、基材を流れ落ちる傾向がある。垂直な基材表面にスプレーされる液体接着剤の量を減じると、液体が流れ落ちるのを最小にすることができる。しかしながら、コートされた袋のスプレー適用においては、袋にスプレーされる液体接着剤の量を、接着剤が流れ落ちるのを防ぐ量に制限すると、得られる接着コーティングは、後に添加される微粒子を適切に接合するには不十分となったり、保管された品物に適切な接着剤（添加剤が液体接着剤に含まれる場合）を適用するのに不十分となったりする恐れがある。本発明の態様によれば、液体接着剤は、複数回の通過や適用によって、袋の内側側壁に適用されることによって、液体接着剤を、袋側壁の同じ場所に追加適用でスプレーする前に、スプレーした接着剤が、短時間で乾燥し始め、側壁に接着させることができる。回転スプレーノズルを備えた接着剤ディスペンサーを用いる場合、スプレーにより、袋側壁の内側周囲に液体接着剤を複数回適用しながら、ノズルは、複数回の連続または不連続回転を行うことができる。縦方向にスライドするスプレーノズルを備えた接着剤ディスペンサーを用いる場合は、スプレーにより、袋側壁の縦方向長さに沿って液体接着剤を複数回適用しながら、ノズルは、複数回、縦方向に通過することができる。回転および縦方向スライドスプレーノズルを備えた接着剤ディスペンサーを用いる場合は、回転しながら、一回の縦方向通過、複数回の縦方向通過、または複数回の回転と複数回の縦方向通過の組み合わせをしながら、一回の回転を行うことができる。さらに、または代わりに、スプレーを再開して、続けて液体接着剤の適用分配する前に、所定時間スプレーを停止するようにノズルを構成してもよい。
【００４８】
例示の実施形態において、液体接着剤を、袋側壁表面に複数回適用により分配して、液体接着剤の複数回通過または適用の結果、所望の累積面密度を有する接着層を得る。例えば、液体接着剤は、２〜１０回に適用で分配する。各適用分配における面密度は、約０．１ｇ／ｉｎ２〜１．５ｇ／ｉｎ２（累積面密度は、約１ｇ／ｉｎ２〜約３ｇ／ｉｎ２）である。液体接着剤を適用して基材に固定するための（例えば、乾燥または硬化し始めるための）時間を与えるために、可動スプレーノズルの複数回回転または縦方向通過（ノズル移動のサイクル時間により定義される時間）か、スプレー停止の時間のいずれか、またはその両方について、袋側壁の場所に液体接着剤適用と適用の間に時間（例えば、約１〜約５秒）が必要である。液体接着剤の各適用または通過によって、同量の液体接着剤が特定の場所に供給されるが、他の実施形態においては、各適用において供給される液体接着剤の量は異なっていてもよい（例えば、器官、ノズル流量、ノズル移動速度、圧力等を変える）。例えば、液体接着剤が、接着剤コートされた袋側壁にスプレーされたとき、あまり流れ落ちにくい場合は、後の液体接着剤は、最初の液体接着剤適用よりも多い量の液体接着剤を分配してもよい。１回以上の液体接着剤適用において、例えば、温度、粘度、希釈度および液体接着剤の組成等、さらに他のパラメータを変えてもよい。液体接着層の適用が完了したら、例えば、接着剤に微粒子を埋め込む前に、接着剤を少なくとも部分的に乾燥または硬化するために、長めの時間（例えば、２〜１０分）を与えてもよい。
【００４９】
さらに、または代わりに、接着剤を未処理のフィルムにスプレーしても構わないが、他の実施形態においては、例えば、袋表面のコロナ処理により、袋フィルム材料の表面直力を増大させてもよい。表面張力を増大することによって、内側袋側壁で、液体の接着剤が「ビーズ状」になって、内側側壁表面のより均一な接着コーティングが促される。例示の実施形態において、袋フィルムは、コロナ処理されて、約３０ダイン／ｃｍ〜約３８ダイン／ｃｍ、または約３０ダイン／ｃｍ〜約３４ダイン／ｃｍの表面張力となり、液体接着剤のフィルムへの接着が促され、液体接着剤のフィルムでビーズ状になったり、滴るのが最小になる。
【００５０】
適用された接着剤層は、例えば、上述したとおり、微粒子、液体および／またはゲル添加剤をはじめとする、袋に保管され、袋の内側表面に、単一の添加剤を含むコーティングを適用するために、液体接着剤と混合された品物を処理するための添加剤を含んでいてもよい。他の実施形態において、１つ以上の微粒子、液体および／またはゲル添加剤層を、袋内側の接着層に適用して、袋に保管された品物に後に分離するために、袋表面に添加剤を固定してもよい。本明細書に記載したとおり、これらの添加剤層は、袋が搬送されるコンベヤーの異なるステーションで袋に適用してもよい。
【００５１】
図９のシステム１００において、袋内側側壁に接着コーティングを形成した後、微粒子ディスペンサー１４０を用いて１種類の固体微粒子を分配して、微粒子が接着コーティングに埋め込まれるようにする。図示した例において、接着剤コート袋（保持機構１２２により開放支持されている）を、微粒子ディスペンサー１４０と並んだトラックまたはコンベヤー１０５に沿って動かして、微粒子ディスペンサーの出口１４２から微粒子を受ける。他の実施形態において、添加剤コート袋は、代わりに固定されたままであり、微粒子ディスペンサーは、袋（および、任意で、微粒子ディスペンサーに提供するために、袋とは並ばなくなった接着剤ディスペンサー）と並んでいる。
【００５２】
多くの異なる種類の微粒子分配機構を用いてよい。一実施形態において、比較的大量の微粒子を、例えば、加圧ホッパーから袋に入れて、接着層を埋め込まれた微粒子で実質的に完全にカバーするのに十分な微粒子で袋を充填する。他の実施形態において、微粒子は、袋の内側側壁に広げる、スプレーする、ポンピングする、またはその他放出して、袋キャビティに分配される微粒子の量を減じてもよい。袋キャビティの接着層に接着しない過剰の微粒子は、例えば、真空機構により、または袋を逆さまにして、固定されない微粒子を取り出す。除去された過剰の微粒子は再利用または再生してもよい（例えば、まず、微粒子を選別して、接着材料に露出されて一緒に凝集した微粒子を除去することにより）。微粒子が、下端が開放された管状基材（例えば、下端を後にシーリングすることにより袋が形成される管）の内側側壁に適用される場合、固定されない微粒子は、瓶または容器の開放下端を通して落として、後に廃棄するか再利用する。
【００５３】
例示の実施形態において、図１１に示すとおり、微粒子ディスペンサー１４０は、微粒子が、ホッパー１４１またはその他源から供給される管状導管１４５内にらせん回転刃１４４を有する微粒子拡散オーガ１４２を有する。オーガのらせん刃が回転すると、微粒子は、導管から計量されて分配され、オーガから、袋ｂの内側側壁に向かって、側方外側に放出される。側壁に接着しない微粒子は、袋の下部から落ちて、袋下部の接着層に接着する、および／または袋の底で固定されないままである（例えば、後に袋から除去される、または保管された品物と共に袋に保持される）。
【００５４】
ある実施形態において、微粒子ディスペンサーは、上述した１つ以上の微粒子拡散オーガやその他かかるデバイスを用いて、２種類以上の微粒子を、単一微粒子層に拡散するように構成されている。複数の粒子拡散デバイスを用いる場合、これらのデバイスは、コンベヤーに沿って異なる位置を占め、固定した袋を、コンベヤーに沿って、複数の位置のぞれぞれに動かす必要がある。あるいは、複数の粒子拡散デバイスを操作すると、複数種類の微粒子を、固定した袋位置で袋の内部に供給するものであってもよい。
【００５５】
複数種類の微粒子を提供するある実施形態において、第１の微粒子（例えば、粉砕ブラックペッパー）は大きめの微粒子であり、第２の微粒子は、小さめの微粒子（例えば、チリパウダー）である。大きめの微粒子の平均顆粒サイズは、小さめの微粒子の平均顆粒サイズの約１００倍までである、または平均粒子サイズの約５倍対約２５倍の比が典型的である。一例において、大きめの第１の微粒子の平均顆粒サイズは、約６．７３０ｍｍまで（または約０．８４１ｍｍ〜約６．７３０ｍｍの範囲）であり、小さめの第２の微粒子の平均顆粒サイズは、約０．０３７ｍｍ（または約０．０３７ｍｍ〜約０．７０７ｍｍの範囲）である。かかる実施形態において、大きめの微粒子をまず最初に適用する。埋め込まれた大きめの微粒子は、後に適用される小さめの微粒子を埋め込むのに十分な大きめの微粒子間の空間を定義する。
【００５６】
本発明の他の態様によれば、接着層の表面を、微粒子を良好に吸収または吸引して、接着層への微粒子の埋め込みを促すように構成してもよい。一例を挙げると、接着層を軟化またはテクスチャーを付与して、接着層に突出する粒子を保持して、これらの粒子が、接着剤のコートされた袋側壁からあまり跳ね返らないようにする。接着層の軟化またはテクスチャーは、例えば、液体を袋側壁にスプレーする際の液体接着剤の通気により修正してよい。例示の実施形態において、液体接着剤を、例えば、空気、二酸化炭素、窒素またはその他不活性ガス等の好適なガスで通気して、接着コーティング全体の微小気泡をトラップする。通気された液体接着剤は、発泡接着コーティングを生成する。他の例において、ノズル圧力およびフロー構成を選択して、袋基材に軟性のテクスチャーパターンで接合する発泡接着剤またはグルー（膠）の小ソフトビーズを生成する。一実施形態において、液体接着剤を約２００ｐｓｉ〜約１３００ｐｓｉの圧力でスプレーする。
【００５７】
袋コーティングシステムは、上述したとおり、そして図４の実施形態に示すように、埋め込み微粒子を覆うように、第２の接着層を適用して、例えば、埋め込み微粒子を、袋の内側側壁に保持、接着または固定するよう構成してもよい。第２の接着層は、第１の接着層を供給したのと同じ接着剤ディスペンサーにより適用してもよい（例えば、袋をコンベヤー１０５に沿って、接着剤ディスペンサー１３０と並ぶまで戻すことにより、または接着剤ディスペンサーを袋と並ぶまで戻すことにより）。第１および第２の接着層の塗布は、実質的に同じやり方で行われるが、他の実施形態において、第１の接着層の形成に比べて、第２の接着層の形成においては、異なる量の液体接着剤を適用するよう、接着剤ディスペンサーを構成してもよい（例えば、時間、ノズル流量、ノズル移動速度、圧力、等）。例えば、第２の接着層は、微粒子を埋め込んだ第１の接着層に比べて、例えば、グレーズを固定または固化により、薄い層または少量の接着剤としてもよい。他の例として、第２の接着層の均一性は、第１の接着層の均一性ほど重要ではない。というのは、層の微粒子は既に埋め込まれており、第２の接着層はこの埋め込んだ状態を単に固化するだけだからである（埋め込んだ微粒子の濃度や分配に影響しない）。第２の接着層の適用の際に、例えば、温度、粘度、希釈度およびその他液体接着剤組成をはじめとする、さらに他のパラメータを変えてもよい。例示の実施形態において、液体接着剤は、上述したとおり、袋側壁表面に複数回適用により分配して、埋め込み微粒子上に、約１ｇ／ｉｎ２〜約３ｇ／ｉｎ２の面密度を有する第２の接着層を与える。
【００５８】
あるいは、図９に示すとおり、第２の接着層は、第１の接着剤ディスペンサー１３０から離れた第２の接着剤ディスペンサー１３０'により適用してもよい。第２の接着剤ディスペンサー１３０'は、コンベヤー１０５に沿った位置で固定して、袋ｂを第２の接着層の適用のために、第２の接着剤ディスペンサー１３０と並ぶところに動かしてもよい。あるいは、第２の接着剤ディスペンサーを可動として、固定した袋（図示せす）と並べてもよい。第２の接着剤ディスペンサー１３０'は、例えば、上述した図１０に示すとおり、第１のスプレーが袋の内側側壁部分に液体接着剤を適用し、第２のスプレーが、袋の内側下部に液体接着剤を適用する、２つのスプレー構成を含む数多くの異なる接着分配構成を利用してよい。第１および第２の接着層の適用は、実質的に同じやり方で行われるが、他の実施形態においては、第２の接着剤ディスペンサーは、第１の接着剤ディスペンサーとは異なる量の液体接着剤を適用したり、例えば、上記に詳述したとおり、温度、粘度、希釈度および液体接着剤組成をはじめとする、第２の接着層の適用において他のパラメータを変えるように構成してもよい。
【００５９】
埋め込んだ微粒子上に適用された第２の接着層は、第１の接着層を適用したのと同じ接着剤ディスペンサーにより適用されても、第２の接着剤ディスペンサーにより適用されても、上記に詳述したとおり、第１の接着層の例示の適用と同様に、袋キャビティの内側表面に液体接着剤を複数回適用することから形成してよい。例示の実施形態において、第２の接着層を形成する液体接着剤は、２回から４回の適用で分配され、１回の適用で、約０．２５ｇ／ｉｎ２〜約１．５ｇ／ｉｎ２の面密度（０．２５ｉｎ２〜約３ｇ／ｉｎ２の累積面密度）分配される。液体接着剤の適用の際に、コーティングに固定する（例えば、乾燥または効果し始める）時間を与えるために、袋側壁の位置に液体接着剤適用間に時間（例えば、約１〜５秒）を与える。
【００６０】
袋コーティングシステムは、微粒子の第２の層を、第２の接着層に適用して、例えば、コートされたパッケージ基材の限られた表面積に微粒子を埋め込むことにより保持できるよりも多い微粒子を保持したり、上述した図５の実施形態に示すような、別の連続適用で異なる添加剤を適用するよう構成してもよい。微粒子の第２の層は、第１の微粒子を提供したのと同じ微粒子ディスペンサーにより適用してよい（例えば、袋をコンベヤー１０５に沿って、微粒子ディスペンサー１４０と並ぶまで戻すことにより、または微粒子ディスペンサーを袋と並ぶまで戻すことにより）。第１および第２の微粒子層の適用は、実質的に同じやり方で行われるが、他の実施形態において、第１の微粒子層に比べて、異なる量または種類の微粒子を適用するよう、微粒子ディスペンサーを構成してもよい
【００６１】
あるいは、図９に示すとおり、微粒子の第２の層を、第１の微粒子ディスペンサー１４０とは別の第２の微粒子ディスペンサー１４０'により適用してもよい。第２の微粒子ディスペンサー１４０'は、コンベヤー１０５に沿った位置に固定してもよく、袋ｂは、第２の微粒子層の適用のために第２の微粒子ディスペンサーと並ぶように動かす。あるいは、第２の微粒子ディスペンサーを可動にして、固定袋（図示せず）と並べてもよい。微粒子ディスペンサー１４０'は、例えば、上述した図１１に示す１つ以上の微粒子拡散オーガをはじめとする数多くの異なる微粒子分配構成を利用してもよい。第１および第２の微粒子層の適用は、実質的に同じやり方で行ってよいが、他の実施形態においては、第２の微粒子ディスペンサー１４０'は、第１の微粒子ディスペンサー１４０とは異なる量または種類の微粒子を適用するよう構成してもよい。この第２の微粒子層もまた、コンベヤーに固定された接着剤ディスペンサーにより適用された接着層によりカバーされてもよい。
【００６２】
他の実施形態において、図９に示すとおり、システム１００は、例えば、上述したとおり、非微粒子添加剤（例えば、微粒子添加剤に加えて、またはその代わりに）を適用するためのディスペンサー１５０を有していてもよい。この非微粒子添加剤ディスペンサー１５０は、品物処理添加剤を、袋の内側表面に適用するために、１つ以上の微粒子ディスペンサー１４０、１４０'に加えて、または代わりに利用してよい。ディスペンサーは、例えば、スプレー、ブラシ、またはスポンジ塗布、浸漬、リンスまたはフラッディングのうち１つ以上のためのデバイスをはじめとする任意の好適な分配機構を利用してよい。例示の実施形態において、非微粒子添加剤ディスペンサー１５０は、例えば、上述した液体接着剤スプレー機構のようなスプレー機構を利用してもよい。
【００６３】
袋コーティングの１枚以上の層を適用したときは、袋に乾燥または硬化操作を行って、袋のコーティングを固化して、使用前に好適な保管のためのコートした袋を用意してもよい。図９の例示のシステム１００において、乾燥デバイスと並ぶよう移動した袋ｂを乾燥するために、乾燥デバイス１６０をコンベヤー１０５に配置する。乾燥デバイス１６０は、例えば、１つ以上の熱乾燥（対流、マイクロ波、赤外線、紫外線）、矯正空気乾燥、バッチ乾燥、コンベヤー乾燥、化学的乾燥またはフリーズドライをはじめとする、コートされた袋の内側か外側またはその両方に適用されたコーティングを固化またはその他安定化させるために、袋コーティングを乾燥または硬化するための任意の好適な機構を利用するよう構成してもよい。
【００６４】
他の実施形態およびプロセスは、本発明の態様により予測される。例えば、本発明の態様は、様々な異なる容器、パッケージコンポーネントおよびその他基材に適用することができる。例えば、本発明の実施形態で用いられるパッケージ製品としては、例えば、任意の好適なフィルムやその他基材、気体または液体透過性フィルム、熱収縮または非収縮袋、熱成形フィルム、真空収縮袋、プリーツまたはマチ付き袋、ウイケット袋、シームレスまたはシームあり袋、チューブ、剛性容器（例えば、カップ、ボウル、トレー）または剛性材料から形成された容器（例えば、プラスチック、ガラス、金属）、蓋、ケース、ネット、メッシュ、羊皮紙、ホイル（例えば、アルミニウム、錫）、箔紙、チャブフィルム、骨被覆フィルムまたはその他材料、バイオポリマーフィルムまたはその他材料、生分解性フィルムまたはその他材料、「活性」または「スマート」パッケージ、メラミン樹脂、ライスペーパー、チーズクロス、シュリンクラップおよびおむつカバーパッドが挙げられる。さらに他の実施形態において、コーティングは、さらに、または代わりに、非パッケージコンポーネント、例えば、フィルタ、パッチ（例えば、ニコチンパッチ）または飲用ストローに適用することができる。
【００６５】
本発明の他の例示の実施形態において、袋またはその他基材に、微粒子やその他添加物を後に埋め込んだり、接着するよう工程された乾燥または硬化接着コーティングを与えてもよい。かかる実施形態において、基材コーティングを湿らせて、接着コーティングの接着性を活性化させ、微粒子またはその他添加剤を、湿った接着層（例えば、上述したデバイスや方法を用いて）に適用してもよい。接着層の後の再乾燥によって、埋め込まれ接着された添加剤は、上述したとおり、パッケージされた品物に後に分離されるために、基材コーティングに固定される。
【００６６】
コートされた食品シーズニング袋およびその袋の使用のその他の例示の実施形態は、全開示内容が本明細書に参考文献として組み込まれる同時係属米国特許出願第２０１２／０１２８８３６号に記載されている。
【００６７】
様々な本発明の態様、概要および特徴を説明し、例示の実施形態において組み合わせて実証したとおり例証したが、これらの様々な態様、概要および特徴は、多くの変形実施形態において、別個または様々な組み合わせや下位の組み合わせで用いることができる。明らかに排除されると言及されない限り、かかる組み合わせや下位の組み合わせは、本発明の範囲内に全て含まれるものとする。さらに、変形材料、構造、構成、方法、カイロ、デバイスおよびコンポーネント、ソフトウェア、ハードウェア、制御論理、形成、適合および機能のための変形等、発明の様々な態様、概要および特徴に関して、様々な変形実施形態を記載したが、かかる記載は、現在公知または後に開発される変形実施形態の完全または排他的な一覧を意図するものではない。当業者であれば、１つ以上の発明の態様、概要または特徴を、本発明の範囲内のさらなる実施形態および使用に、たとえかかる実施形態が本明細書に明確に開示されていなくても、容易に取り入れることができる。さらに、発明のいくつかの特徴、概要または態様は、好ましい構成または方法として記載されているが、明らかに言及されない限り、その記載は、かかる特徴が必要であることを示唆するものではない。さらに、例示の値や範囲は、本開示の理解を助けるためのものであり、かかる値や範囲が、限定と解釈されるものではなく、明らかに言及される場合のみ、限定的な値や範囲とされる。また、様々な態様、特徴および概要が、本発明または発明の一部として明らかに認識されるが、かかる認識は、排他的なものではなく、具体的な発明またはその一部と明らかに認識されることなく、本明細書にあまねく記載した本発明の態様、概要および特徴である。本発明は、請求項により規定される例示の方法またはプロセスの記載は、全ての場合において必要とされる全ての工程を含むものと限定されず、明らかに言及されない限り、示された工程の順番も必要なものとは解釈されない。
【図１】
2018529597.tif 000003
【図２】
2018529597.tif 000004
【図３】
2018529597.tif 000005
【図４】
2018529597.tif 000006
【図５】
2018529597.tif 000007
【図６】
2018529597.tif 000008
【図７】
2018529597.tif 000009
【図８】
2018529597.tif 000010
【図９】
2018529597.tif 000011
【図１０】
2018529597.tif 000012
【図１１】
2018529597.tif 000013
【国際調査報告】
2018529597.tif 000014
2018529597.tif 000015
2018529597.tif 000016
2018529597.tif 000017